(57)【要約】      （修正有）【課題】生産性の低下を抑制可能な電池ユニットの製造方法及び電池ユニットの提供。【解決手段】側面１１ａと側面１１ａに交差する方向に延びる側面１１ｃとを有する角型電池セル１０を用意する第１の工程と、第１及び第２の粘着面２１ａ，２１ｂを含む粘着テープ２１と第１の粘着面２１ａを介して粘着テープ２１に貼着された剥離紙２２とを有する両面テープ２０を用意する第２の工程と、側面１１ａから側面１１ｃにわたって両面テープ２０が配置されるように角型電池セル１０に両面テープ２０を貼着する第３の工程と、を備える。両面テープ２０は、剥離紙２２に切込み２２ｃが設けられた切込み部２３を有する。第３の工程においては、両面テープ２０の切込み部２３に生じる引張力が、第１の粘着面２１ａと剥離紙２２との間の粘着力よりも大きくなるように、両面テープ２０を角型電池セル１０に貼着する電池ユニットの製造方法。【選択図】図３
2015201373.tif 000002
【特許請求の範囲】
【請求項１】
角型電池セルを有する電池ユニットの製造方法であって、
第１の面と、前記第１の面の延在方向と交差する方向に延在する第２の面と、を有する前記角型電池セルを用意する第１の工程と、
第１及び第２の粘着面を含む粘着テープと、前記第１の粘着面を介して前記粘着テープに貼着された剥離紙と、を有する両面テープを用意する第２の工程と、
前記第１の面から前記第２の面にわたって前記両面テープが配置されるように前記第２の粘着面を介して前記角型電池セルに前記両面テープを貼着する第３の工程と、
を備え、
前記第１の面は、前記粘着テープを介して被接合部材が接着される面であり、
前記両面テープは、前記剥離紙に切込みが設けられた切込み部を有し、
前記第３の工程においては、前記両面テープを前記角型電池セルに貼着したときに、前記両面テープの前記切込み部に生じる引張力が、前記第１の粘着面と前記剥離紙との間の粘着力よりも大きくなるように、前記両面テープを前記角型電池セルに貼着する、
ことを特徴とする電池ユニットの製造方法。
【請求項２】
前記第３の工程の後に、前記第２の面上に配置される前記両面テープの端部から前記切込みまで延在する前記剥離紙の一部を前記粘着テープに残存させつつ前記剥離紙の残部を前記粘着テープから剥離する第４の工程をさらに備える、
ことを特徴とする請求項１に記載の電池ユニットの製造方法。
【請求項３】
角型電池セルと、被接合部材と、前記角型電池セル及び前記被接合部材に貼着された両面テープと、を有する電池ユニットであって、
前記角型電池セルは、第１の面と、前記第１の面の延在方向と異なる方向に延在する第２の面と、を有し、
前記両面テープは、第１及び第２の粘着面を含む粘着テープと、前記第１の粘着面を介して前記粘着テープに貼着された剥離紙と、を有すると共に、前記第１の面から前記第２の面にわたって前記第２の粘着面を介して前記角型電池セルに貼着されており、
前記粘着テープにおける前記第１の面上に設けられる部分の少なくとも一部には、前記剥離紙が設けられていない、
ことを特徴とする電池ユニット。
【発明の詳細な説明】
【技術分野】
【０００１】
本発明は、電池ユニットの製造方法、及び、電池ユニットに関する。
【背景技術】
【０００２】
特許文献１には、バッテリ組立体が記載されている。このバッテリ組立体は、所定の方向に積層された複数の単バッテリと、所定の方向の両側から複数の単バッテリを挟むように配置された一対の保持プレートと、一方の保持プレートから他方の保持プレートに至るように延在する複数のロッドと、を備えている。このバッテリ組立体は、ロッドを介して一対の保持プレートを互いに締結して複数の単バッテリを挟持することにより、モジュール化されている。
【先行技術文献】
【特許文献】
【０００３】
【特許文献１】特開平８−１４８１８７号公報
【発明の概要】
【発明が解決しようとする課題】
【０００４】
ところで、上述したようなバッテリ組立体を製造する際には、複数の単バッテリをエンドプレート等により締結する前に、単バッテリ同士の絶縁を確保する目的や単バッテリ同士を互いに仮固定する目的から、単バッテリ同士を両面テープにより接着する場合がある。その場合には、まず、単バッテリの積層面に対して剥離紙付きの両面テープを貼着する。その後、両面テープから剥離紙を剥離して両面テープの粘着面を露出させる。このとき、剥離紙の剥離に時間がかかり、バッテリ組立体の生産性が低下するおそれがある。
【０００５】
本発明は、そのような事情に鑑みてなされたものであり、生産性の低下を抑制可能な電池ユニットの製造方法、及び電池ユニットを提供することを目的とする。
【課題を解決するための手段】
【０００６】
上記課題を解決するために、本発明に係る電池ユニットの製造方法は、角型電池セルを有する電池ユニットの製造方法であって、第１の面と、第１の面の延在方向と交差する方向に延在する第２の面と、を有する角型電池セルを用意する第１の工程と、第１及び第２の粘着面を含む粘着テープと、第１の粘着面を介して粘着テープに貼着された剥離紙と、を有する両面テープを用意する第２の工程と、第１の面から第２の面にわたって両面テープが配置されるように第２の粘着面を介して角型電池セルに両面テープを貼着する第３の工程と、を備え、第１の面は、粘着テープを介して被接合部材が接着される面であり、両面テープは、剥離紙に切込みが設けられた切込み部を有し、第３の工程においては、両面テープを角型電池セルに貼着したときに、両面テープの切込み部に生じる引張力が、第１の粘着面と剥離紙との間の粘着力よりも大きくなるように、両面テープを前記角型電池セルに貼着する、ことを特徴とする。
【０００７】
この製造方法においては、まず、角型電池セルと両面テープとを用意する。両面テープは、第１及び第２の粘着面を含む粘着テープと、第１の粘着面を介して粘着テープに貼着された剥離紙と、を有する。角型電池セルは、粘着テープを介して被接合部材が接着される第１の面と、その第１の面の延在方向に交差する方向に延在する第２の面とを有する。そして、角型電池セルと両面テープとを用意した後に、角型電池セルの第１の面から第２の面にわたって両面テープが配置されるように、第２の粘着面を介して角型電池セルに両面テープを貼着する。
【０００８】
このように、互いに異なる方向に延在する第１及び第２の面にわたって両面テープを貼着すれば、第１の面と第２の面との境界部分を起点として、両面テープに引張力が生じる。特に、ここでは、両面テープを角型電池セルに貼着したときに、両面テープの切込み部（剥離紙に切込みが設けられている部分）に生じる引張力が、第１の粘着面と剥離紙との間の粘着力よりも大きくなるようする。これにより、剥離紙が切込みからめくれ上がるようにして部分的に剥離されるので、その剥離部を用いて粘着テープから剥離紙を容易に剥離することが可能となる。よって、剥離紙の剥離に時間がかかることに起因して電池ユニットの生産性が低下することが抑制される。
【０００９】
本発明に係る電池ユニットの製造方法は、第３の工程の後に、第２の面上に配置される両面テープの端部から切込みまで延在する剥離紙の一部を粘着テープに残存させつつ剥離紙の残部を粘着テープから剥離する第４の工程をさらに備えてもよい。この場合、角型電池セルの第２の面上において粘着テープに異物が付着することが抑制される。
【００１０】
本発明に係る電池ユニットは、角型電池セルと、被接合部材と、角型電池セル及び被接合部材に貼着された両面テープと、を有する電池ユニットであって、角型電池セルは、第１の面と、第１の面の延在方向と異なる方向に延在する第２の面と、を有し、両面テープは、第１及び第２の粘着面を含む粘着テープと、第１の粘着面を介して粘着テープに貼着された剥離紙と、を有すると共に、第１の面から第２の面にわたって第２の粘着面を介して角型電池セルに貼着されており、粘着テープにおける第１の面上に設けられる部分の少なくとも一部には、剥離紙が設けられていない、ことを特徴とする。
【００１１】
この電池ユニットにおいては、角型電池セルは、第１の面と、第１の面の延在方向と異なる方向に延在する第２の面とを有する。また、両面テープは、第１の面から第２の面にわたって角型電池セルに貼着されている。したがって、例えばこの電池ユニットの製造に際して、両面テープを角型電池セルに貼着したときに、上述したように第１の面と第２の面との境界部分を起点として、両面テープに引張力が生じる。このため、予め粘着テープの全面に剥離紙が貼着されていても、その引張力により剥離紙の部分的な剥離が生じやすい。したがって、剥離紙の一部を剥離して容易にこの電池ユニットを製造可能である。つまり、この電池ユニットによれば、剥離紙の剥離に時間がかかることに起因して電池ユニットの生産性が低下することが抑制される。
【００１２】
また、この電池ユニットにおいては、粘着テープにおける第１の面上に設けられる部分の少なくとも一部には、剥離紙が設けられていない。この場合、第１の面上において被接合部材を接着可能である。また、粘着テープにおける第２の面上に設けられる部分の少なくとも一部に剥離紙が設けられている場合には、第２の面上において粘着テープに異物が付着することが抑制される。
【発明の効果】
【００１３】
本発明によれば、生産性の低下を抑制可能な電池ユニットの製造方法、及び電池ユニットを提供することができる。
【図面の簡単な説明】
【００１４】
【図１】本実施形態に係る電池ユニットの製造方法の主要な工程を示す図である。
【図２】本実施形態に係る電池ユニットの製造方法の主要な工程を示す図である。
【図３】本実施形態に係る電池ユニットの製造方法の主要な工程を示す図である。
【図４】本実施形態に係る電池ユニットの製造方法の主要な工程を示す図である。
【図５】本実施形態に係る電池ユニットの製造方法の主要な工程を示す図である。
【図６】本実施形態に係る電池ユニットの製造方法の変形例を示す図である。
【図７】本実施形態に係る電池ユニットの製造方法の変形例を示す図である。
【図８】本実施形態に係る電池ユニットの製造方法の変形例を示す図である。
【発明を実施するための形態】
【００１５】
以下、本発明に係る電池ユニットの製造方法、及び電池ユニットの一実施形態について、図面を参照して詳細に説明する。なお、図面の説明において、同一の要素同士、或いは相当する要素同士には、互いに同一の符号を付し、重複する説明を省略する。本実施形態に係る製造方法は、角型電池セルを含む電池ユニットの製造方法である。
【００１６】
図１〜５は、本実施形態に係る電池ユニットの製造方法の主要な工程を示す図である。図１の（ａ）は、角型電池セルの斜視図であり、図１の（ｂ）は、角型電池セルの底面図である。図１に示されるように、この電池ユニットの製造方法においては、まず、角型電池セル（一の角型電池セル）１０を用意する（工程Ｓ１０１：第１の工程）。角型電池セル１０は、例えば、リチウム二次電池等の非水電解質二次電池である。角型電池セル１０は、直方体状のケース１１と、ケース１１内に収容された電極組立体（不図示）とを備えている。
【００１７】
ケース１１は、互いに対向する一対の側面（第１の面）１１ａ，１１ｂと、互いに対向する一対の別の側面（第２の面）１１ｃ，１１ｄと、互いに対向する上面（第２の面）１１ｅ及び底面（第２の面）１１ｆと、を有している。側面１１ａ，１１ｂは、互いに略平行であり、例えば、電極組立体における電極の積層方向に交差する方向に沿って延在している。側面１１ａ，１１ｂは、ケース１１において最も広い面である。側面１１ａ，１１ｂの少なくとも一方の面上には、後述する粘着テープ２１及び該粘着テープ２１によって側面１１ａ，１１ｂに接着される被接合部材（図示の例では、別の角型電池セル１０）が設けられる。
【００１８】
側面１１ｃ，１１ｄは、互いに略平行であり、側面１１ａ，１１ｂの延在方向に交差する方向（例えば電極の積層方向）に沿って延在している。側面１１ｃ，１１ｄは、側面１１ａと側面１１ｂとを互いに接続している。上面１１ｅ及び底面１１ｆは、互いに略平行であり、側面１１ａ，１１ｂの延在方向及び側面１１ｃ，１１ｄの延在方向に交差する方向（例えば電極の積層方向）に沿って延在している。上面１１ｅ及び底面１１ｆは、側面１１ａと側面１１ｂとを互いに接続すると共に、側面１１ｃと側面１１ｄとを互いに接続している。上面１１ｅからは、電極組立体に電気的に接続された一対の端子１２が突出している。
【００１９】
続く工程においては、図２に示されるように、両面テープを用意する（工程Ｓ１０２：第２の工程）。この工程Ｓ１０２においては、まず、図２の（ａ）に示されるように、ロールＲから巻き出された両面テープを所定位置Ｐにおいて切断することにより、所定寸法のシート状の両面テープ２０を用意する。この両面テープ２０の寸法は、例えば以下の通りである。
【００２０】
すなわち、図２の（ｂ）に示されるように、両面テープ２０を角型電池セル１０の（ケース１１の）側面１１ａ上に配置した場合、側面１１ｃから側面１１ｄに向かう方向における両面テープ２０の寸法は、同方向における側面１１ａ，１１ｂの寸法よりも大きい。また、同様の場合、上面１１ｅから底面１１ｆに向かう方向における両面テープ２０の寸法は、一例として、同方向における側面１１ａ，１１ｂの寸法と略同一である。
【００２１】
両面テープ２０は、粘着テープ２１と、粘着テープ２１に貼着された剥離紙２２と、を有する。粘着テープ２１は、例えば、角型電池セル１０同士の絶縁を確保可能な材料から構成される。粘着テープ２１は、第１の粘着面２１ａと、第１の粘着面２１ａの反対側の第２の粘着面２１ｂと、を含む。剥離紙２２は、第１の粘着面２１ａを介して粘着テープ２１に貼着されている。剥離紙２２には、一対の切込み２２ｃが形成されている。したがって、両面テープ２０は、剥離紙２２に形成された切込み２２ｃからなる一対の切込み部２３を有している。切込み２２ｃのそれぞれは、両面テープ２０を側面１１ａ上に配置した場合に、上面１１ｅから底面１１ｆに向かう方向における両面テープ２０の一端から他端にわたって形成されている。
【００２２】
切込み２２ｃ同士の間隔は、側面１１ｃから側面１１ｄに向かう方向における側面１１ａ，１１ｂの寸法と略同一である。したがって、両面テープ２０においては、一方の切込み２２ｃを、側面１１ａと側面１１ｃとの境界部分（ここではケース１１の角部分）上に配置し、他方の切込み２２ｃを側面１１ａと側面１１ｄとの境界部分（ここではケース１１の角部分）上に配置することが可能である。なお、以上の工程Ｓ１０１及び工程Ｓ１０２の実施の順序は、任意に設定することができる。
【００２３】
続く工程においては、図３に示されるように、角型電池セル１０に両面テープ２０を貼着する（工程Ｓ１０３：第３の工程）。より具体的には、図３の（ａ）に示されるように、側面１１ａから側面１１ｃ，１１ｄにわたって両面テープ２０が配置されるように、粘着テープ２１の第２の粘着面２１ｂを介して、角型電池セル１０に両面テープ２０を貼着する。これにより、側面１１ａと側面１１ｃとの境界部分及び側面１１ａと側面１１ｄとの境界部分を起点として（すなわちケース１１の角部分を起点として）、側面１１ａ，１１ｃ，１１ｄに沿って、両面テープ２０に引張力が生じる。
【００２４】
一方で、この工程Ｓ１０３においては、剥離紙２２の一方の切込み２２ｃが側面１１ａと側面１１ｃとの境界部分上に位置し、他方の切込み２２ｃが側面１１ｂと側面１１ｄとの境界部分上に位置するように、両面テープ２０を角型電池セル１０に貼着する。このため、両面テープ２０の一対の切込み部２３に対して、上述した引張力がほぼ減衰することなく付与される。これにより、両面テープ２０の切込み部２３に加わる引張力が、粘着テープ２１の第１の粘着面２１ａと剥離紙２２との間の粘着力よりも大きくなる。
【００２５】
つまり、この工程Ｓ１０３においては、両面テープ２０を角型電池セル１０に貼着したときに、両面テープ２０の切込み部２３に生じる引張力が、粘着テープ２１の第１の粘着面２１ａと剥離紙２２との間の粘着力よりも大きくなるように、両面テープ２０を角型電池セル１０に貼着する。その結果、図３の（ｂ）に示されるように、剥離紙２２が切込み２２ｃからめくれ上がるようにして粘着テープ２１から部分的に剥離し、剥離紙２２に剥離部２２ｐが生じる。
【００２６】
続く工程においては、剥離紙２２の剥離部２２ｐを利用して（把持して）、図４の（ａ）に示されるように、剥離紙２２を部分的に粘着テープ２１から剥離する（工程Ｓ１０４：第４の工程）。より具体的には、この工程Ｓ１０４においては、側面１１ｃ，１１ｄ上に配置される両面テープ２０の端部２０ａから切込み２２ｃまで延在する剥離紙２２の一部２２ａを粘着テープ２１に残存させつつ、剥離紙２２の残部２２ｂを粘着テープ２１から剥離する。ここでは、剥離紙２２の一部２２ａは、剥離紙２２のうちの側面１１ｃ，１１ｄ上に位置する部分である。また、剥離紙２２の残部２２ｂは、剥離紙２２のうちの側面１１ａ上に位置する部分である。
【００２７】
以上の工程により、テープ付角型電池セル１０Ａが作製される。テープ付角型電池セル１０Ａは、側面１１ａ上に被接合部材を積層することにより、当該被接合部材とテープ付角型電池セル１０Ａとで電池ユニットを構成する。被接合部材としては、例えば、別のテープ付角型電池セル１０Ａ，１０Ｂ、粘着テープ２１が設けられていない角型電池セル１０、後述する伝熱プレート３０、或いはエンドプレート等である。テープ付角型電池セル１０Ａは、上述したように、角型電池セル１０と角型電池セル１０に貼着された両面テープ２０と、を備える。角型電池セル１０は、互いに対向する一対の側面１１ａ，１１ｂと、側面１１ａ，１１ｂの延在方向と異なる方向に延在する側面１１ｃ，１１ｄ、上面１１ｅ、及び底面１１ｆと、を有する。
【００２８】
両面テープ２０は、第１の粘着面２１ａ及び第２の粘着面２１ｂを含む粘着テープ２１と、第１の粘着面２１ａを介して粘着テープ２１に貼着された剥離紙２２（より詳細には剥離紙２２の一部２２ａ）と、を有する。また、両面テープ２０は、側面１１ａから側面１１ｃ，１１ｄにわたって、第２の粘着面２１ｂを介して角型電池セル１０に貼着されている。粘着テープ２１は、側面１１ｃ，１１ｄ上に設けられた剥離紙２２（より詳細には剥離紙２２の一部２２ａ）に覆われた領域２１ｒと、側面１１ａ上に設けられ第１の粘着面２１ａが露出した領域２１ｑと、を含む。すなわち、粘着テープにおける側面１１ａ上に設けられる部分の少なくとも一部には、剥離紙２２が設けられていない。
【００２９】
引き続き、本実施形態に係る電池ユニットの製造方法について説明する。続く工程においては、図４の（ｂ）に示されるように、剥離紙２２の剥離部２２ｐ（図３の（ｂ）参照）を利用して（把持して）、剥離紙２２の一部２２ａを粘着テープ２１から剥離する（工程Ｓ１０５）。これにより、粘着テープ２１から剥離紙２２の全体が剥離され、粘着テープ２１の領域２１ｒにおける第１の粘着面２１ａも露出する。この工程Ｓ１０５により、両面テープ２０のうちの粘着テープ２１のみが角型電池セル１０に貼着されてなるテープ付角型電池セル１０Ｂが作製される。なお、この工程Ｓ１０５は、実施しなくてもよい。すなわち、剥離紙２２の一部２２ａを剥離せずに残存させておいてもよい。
【００３０】
続く工程においては、図５の（ａ）に示されるように、テープ付角型電池セル１０Ｂに対して、同様に作製された別のテープ付角型電池セル１０Ｂ（被接合部材）を、粘着テープ２１を介して積層する（工程Ｓ１０６）。これにより、一のテープ付角型電池セル１０Ｂの角型電池セル１０と別のテープ付角型電池セル１０Ｂの角型電池セル１０とが粘着テープ２１により接着され、互いに固定される。
【００３１】
なお、一のテープ付角型電池セル１０Ｂと別のテープ付角型電池セル１０Ｂとの間に、伝熱プレート３０を介在させてもよい。この場合には、図５の（ｂ）に示されるように、角型電池セル１０の側面１１ｂ側にも、同様の工程により、粘着テープ２１を貼着しておいてもよい。
【００３２】
以上説明したように、本実施形態に係る電池ユニットの製造方法においては、まず、角型電池セル１０と両面テープ２０とを用意する。角型電池セル１０は、互いに対向する一対の側面１１ａ，１１ｂと、その側面１１ａ，１１ｂの延在方向に交差する方向に延在する側面１１ｃ，１１ｄとを有する。また、両面テープ２０は、第１の粘着面２１ａ及び第２の粘着面２１ｂを含む粘着テープ２１と、第１の粘着面２１ａを介して粘着テープ２１に貼着された剥離紙２２と、を有する。
【００３３】
そして、角型電池セル１０と両面テープ２０とを用意した後に、角型電池セル１０の側面１１ａから側面１１ｃ，１１ｄにわたって両面テープ２０が配置されるように、第２の粘着面２１ｂを介して角型電池セル１０に両面テープ２０を貼着する。このように、互いに異なる方向に延在する側面１１ａ及び側面１１ｃ，１１ｄにわたって両面テープ２０を貼着すれば、側面１１ａと側面１１ｃとの境界部分及び側面１１ａと側面１１ｄとの境界部分を起点として、両面テープ２０に引張力が生じる。
【００３４】
特に、ここでは、両面テープ２０を角型電池セル１０に貼着したときに、両面テープ２０の切込み部２３（剥離紙２２に切込み２２ｃが設けられている部分）に生じる引張力が、第１の粘着面２１ａと剥離紙２２との間の粘着力よりも大きくなるようする。これにより、剥離紙２２が切込み２２ｃからめくれ上がるようにして部分的に剥離されるので、その剥離部２２ｐを用いて粘着テープ２１から剥離紙２２を容易に剥離することが可能となる。よって、剥離紙２２の剥離に時間がかかることに起因して電池ユニットの生産性が低下することが抑制される。
【００３５】
また、本実施形態に係る電池ユニットの製造方法においては、両面テープ２０を角型電池セル１０に貼着した後に、側面１１ｃ，１１ｄ上に設けられた粘着テープ２１の一対の領域２１ｒに剥離紙２２の一部２２аを残存させつつ、剥離紙２２の残部２２ｂを粘着テープ２１から剥離する。このため、その剥離紙２２の一部２２ａを残存させたままとすれば、粘着テープ２１の一対の領域２１ｒに異物が付着することが抑制される。
【００３６】
一方、本実施形態に係るテープ付角型電池セル１０Ａにおいては、その作製に際して、両面テープ２０を角型電池セル１０に貼着したときに、上述したように側面１１ａと側面１１ｃとの境界部分及び側面１１ａと側面１１ｄとの境界部分を起点として、両面テープ２０に引張力が生じる。このため、予め粘着テープ２１の全面に剥離紙２２が貼着されていても、その引張力により剥離紙２２の部分的な剥離が生じやすい。したがって、テープ付角型電池セル１０Ａを有する電池ユニットを容易に作製可能である。つまり、本実施形態に係るテープ付角型電池セル１０Ａ（電池ユニット）によれば、剥離紙２２の剥離に時間がかかることに起因して電池ユニットの生産性が低下することが抑制される。
【００３７】
また、本実施形態に係るテープ付角型電池セル１０Ａ（電池ユニット）の粘着テープ２１は、剥離紙２２に覆われた領域２１ｒと剥離紙２２が設けられていない領域２１ｑとを有する。このため、側面１１ａ上において別の角型電池セル１０（被接合部材）を接着可能であると共に、側面１１ｃ，１１ｄ上において粘着テープ２１に異物が付着することが抑制される。
【００３８】
以上の実施形態は、本発明に係る電池ユニットの製造方法、及び電池ユニットの一実施形態を説明したものである。したがって、本発明に係る電池ユニットの製造方法、及び電池ユニットは、上述したものに限定されない。
【００３９】
例えば、図６の（ａ）に示されるように、工程Ｓ１０２において用意する両面テープ２０は、剥離紙２２に単一の切込み２２ｃが形成されたものとしてもよい。ここでは、続く工程Ｓ１０３において、その単一の切込み２２ｃが側面１１ａ上に配置される。この場合にも、図６の（ｂ）に示されるように、両面テープ２０を角型電池セル１０に貼着したときに、両面テープ２０の切込み部２３に生じる引張力が、粘着テープ２１の第１の粘着面２１ａと剥離紙２２との間の粘着力よりも大きくなるように、両面テープ２０を角型電池セル１０に貼着する。
【００４０】
その結果、図６の（ｃ）に示されるように、剥離紙２２が切込み２２ｃからめくれ上がるようにして粘着テープ２１から部分的に剥離し、剥離紙２２に剥離部２２ｐが生じる。したがって、工程Ｓ１０４，１０５において、その剥離部２２ｐを利用して剥離紙２２を粘着テープ２１から容易に剥離することが可能となる。
【００４１】
なお、工程Ｓ１０３において、両面テープ２０の切込み部２３に生じる引張力が第１の粘着面２１ａと剥離紙２２との間の粘着力よりも大きくなるようにするためには、例えば、両面テープ２０を角型電池セル１０に貼着する際に、側面１１ａの中心よりも側面１１ａと側面１１ｃ（或いは側面１１ｄ）との境界部分側に切込み２２ｃを位置させることが考えられる。
【００４２】
一方、図７の（ａ）に示されるように、工程Ｓ１０２において剥離紙２２に単一の切込み２２ｃが形成された両面テープ２０を用意した場合には、図７の（ｂ）に示されるように、工程Ｓ１０３において切込み２２ｃが側面１１ｃ（或いは側面１１ｄ（以下同様））上に配置されるように、両面テープ２０を角型電池セル１０に貼着してもよい。
【００４３】
この場合には、側面１１ｃ（或いは側面１１ｄ）の両面テープ２０の切込み部２３に生じる引張力が第１の粘着面２１ａと剥離紙２２との間の粘着力よりも大きくなるようにするためには、両面テープ２０を角型電池セル１０に貼着する際に、例えば、側面１１ｃ上の中心よりも側面１１ｃと側面１１ａとの境界部分側に切込み２２ｃを位置させることが考えられる。このように、工程Ｓ１０２において用意する両面テープ２０は、剥離紙２２に少なくとも１つの切込み２２ｃが形成されたものであればよい。
【００４４】
また、工程Ｓ１０１において用意する角型電池セル１０は、図８に示されるように、角部が面取りされたケース１１を備えるものとしてもよい。この場合、ケース１１は、一例として、側面１１ａと側面１１ｃとを接続する曲面状（例えば円筒面状）の接続面（第２の面）１１ｓを有している。この接続面１１ｓも、側面１１ｃと同様に、側面１１ａの延在方向と異なる方向に延在している。このため、工程Ｓ１０３において、側面１１ａから接続面１１ｓにわたって両面テープ２０が配置されるように、両面テープ２０を角型電池セル１０に貼着すれば、側面１１ａと接続面１１ｓとの境界部分を起点として両面テープ２０に引張力が生じる。
【００４５】
したがって、工程Ｓ１０３において、両面テープ２０を角型電池セル１０に貼着したときに、両面テープ２０の切込み部２３に生じる引張力が、粘着テープ２１の第１の粘着面２１ａと剥離紙２２との間の粘着力よりも大きくなるように、両面テープ２０を角型電池セル１０に貼着することが可能となる。なお、ここでは、両面テープ２０は、側面１１ａから接続面１１ｓにわたって配置される一方で、側面１１ｃ上までは延在していないが、側面１１ｃ上にまで延在するように配置されてもよい。
【００４６】
このように、工程Ｓ１０１において用意する角型電池セル１０は、直方体状の外形（ケース１１）を有するものに限定されず、第１の面と、その第１の面の延在方向に交差する方向に延在する第２の面との組を少なくとも１つ有していればよい。そのような構成であれば、両面テープ２０を角型電池セル１０に貼着したときに、第１の面と第２の面との境界部分を起点として両面テープ２０に引張力を生じさせることが可能となる。
【００４７】
さらに、上記実施形態においては、主に、側面１１ａと側面１１ｃ，１１ｄとを、両面テープ２０の貼着対象として説明を行ったが、側面１１ａと上面１１ｅ及び底面１１ｆとを、両面テープ２０の貼着対象としても、同様の工程を実施して上述した効果を奏することが可能である。
【符号の説明】
【００４８】
１０…角型電池セル、１０Ａ…テープ付角型電池セル、１１ａ，１１ｂ…側面（第１の面）、１１ｃ，１１ｄ…側面（第２の面）、１１ｅ…上面（第２の面）、１１ｆ…底面（第２の面）、１１ｓ…接続面（第２の面）、２０…両面テープ、２０ａ…端部、２１…粘着テープ、２１ａ…第１の粘着面、２１ｂ…第２の粘着面、２１ｒ，２１ｑ…領域、２２…剥離紙、２２ｃ…切込み、２３…切込み部。
【図１】
2015201373.tif 000003
【図２】
2015201373.tif 000004
【図３】
2015201373.tif 000005
【図４】
2015201373.tif 000006
【図５】
2015201373.tif 000007
【図６】
2015201373.tif 000008
【図７】
2015201373.tif 000009
【図８】
2015201373.tif 000010